(57)【特許請求の範囲】
【請求項１】
高圧カットアウトスイッチ本体１７に外嵌自在とされると共に間接活線把持工具２２に把持自在とされた略コ字形状のカバ−本体２と、該カバ−本体２の上端部に形成された上部カバ−部材３と、同カバ−本体２の下端部に横設された両側一対の引出線用フック片９とよりなり、上記上部カバ−部材３の先部には引出線用引出口２０に掛止自在とされた両側一対の掛止片５が垂下状に形成されてなることを特徴とする、高圧カットアウトスイッチ用絶縁カバ−。
【請求項２】
上部カバ−部材３はヒンジ４を介してカバ−本体２の上端部に折曲自在に形成されると共に、係着部材７・８を介してカバ−本体２に直交状に係着自在とされてなることを特徴とする、請求項１記載の高圧カットアウトスイッチ用絶縁カバ−。
【請求項３】
上部カバ−部材３はカバ−本体２の上端部に直交状に一体形成されてなることを特徴とする、請求項１記載の高圧カットアウトスイッチ用絶縁カバ−。
【請求項４】
カバ−本体２に間接活線把持工具２２の先部が嵌入自在とされた凹部１０が形成されると共に、該凹部１０には摘み片１１が内設されてなることを特徴とする、請求項１ないし３記載の高圧カットアウトスイッチ用絶縁カバ−。
【請求項５】
上部カバ−部材３の先部には高圧カットアウトスイッチ本体１７上端部に当接自在とされた当て片６が延設されてなることを特徴とする、請求項１ないし４記載の高圧カットアウトスイッチ用絶縁カバ−。
【請求項６】
高圧カットアウトスイッチ本体１７の両側縁を各々嵌合掛止せしめるべくカバ−本体２内には凹部１０を介して両側一対の掛止溝１３が区画形成されてなることを特徴とする、請求項１ないし５記載の高圧カットアウトスイッチ用絶縁カバ−。
【発明の詳細な説明】
【０００１】
【発明の属する技術分野】
本発明は高圧カットアウトスイッチ用絶縁カバ−に関し、更に詳細には、高圧カットアウトスイッチを開蓋して配電線の工事などを行うさいに、高圧カットアウトスイッチ本体を被覆して感電や誤操作による閉蓋を確実に防止せしめることが出来る、高圧カットアウトスイッチ用絶縁カバ−に関する。
【０００２】
【従来の技術、及び発明が解決しようとする課題】
従来より、この種高圧カットアウトスイッチ用絶縁カバ−としては、高圧カットアウトスイッチ本体に外嵌自在とされた方形キャップ状カバ−本体の両側に各々一対の引出線カバ−用筒状体が突設されると共に、該各筒状体の長手方向に沿って拡開用切込みが形成されたものが知られている（実開平２−１５０６３７号公報参照）。
【０００３】
そして、上述の如く構成された従来例は、開蓋せしめた高圧カットアウトスイッチ本体の全面にカバ−本体を外嵌状に当てがいつつ、切込みに沿って各筒状体を拡開せしめて対応する引出線を挿通せしめると共に、筒状部を引出線の引出口に嵌合して装着せしめるものである。
【０００４】
しかしながら、上記従来例は、絶縁カバ−を高圧カットアウトスイッチ本体に確実に装着せしめることが出来る反面、各筒状部を切込みに沿って拡開せしめつつ引出線を挿通せしめるものであるから、ヤットコなど所要の間接活線把持工具を用いて間接活線工法的に装着せしめるには無理があり、必然的に手作業に頼らざるを得ず、ひいては、由々しき問題を惹起せしめやすいものである。
【０００５】
かかる従来例の問題点を解決するものとして、高圧カットアウトスイッチ本体に外嵌自在とされた略下向きコ字形状のカバ−本体と、該カバ−本体に面テ−プを介して被覆状に取付け自在とされた樹脂シ−トよりなり、上記樹脂シ−トの一端にはカバ−本体の一端開放部を閉塞せしめるべく閉塞片が一体形成されてなる絶縁カバ−が開示されている（実開平６−７７４１２号公報参照）。
【０００６】
上述の如く構成された従来例は、ヤットコなど所要の間接活線把持工具によりカバ−本体を把持せしめつつ上方から開蓋状の高圧カットアウトスイッチ本体に外嵌せしめた後、該カバ−本体に間接活線把持工具を介して樹脂シ−トを被覆状に取付けると共に、閉塞片によりカバ−本体の前方開放部を閉塞せしめるものである。そして、配電線の工事などを行うさいには、閉塞片を外してカバ−本体の開放部を開放せしめ、高圧カットアウトスイッチ本体を開蓋して所要の工事を行うものとされている。
【０００７】
しかしながら、上記従来例は、絶縁カバ−を高圧カットアウトスイッチ本体にヤットコなど所要の間接活線把持工具でもって安全に装着せしめることが出来る反面、カバ−本体と樹脂シ−トとにより構成するものとされているから、一々間接活線把持工具でもってカバ−本体を高圧カットアウトスイッチ本体に外嵌せしめると共に、該カバ−本体に樹脂シ−トを被覆状に取付けなければならないものであって、その装着作業が非常に面倒で手間がかかり、極めて作業能率が悪いのみならず、カバ−本体を高圧カットアウトスイッチ本体に外嵌保持せしめるにすぎないものであるからガタ付きやすく、確実なる装着がしずらいものである。
【０００８】
本発明は上記従来例の問題点を解決し、ヤットコなど所要の間接活線把持工具でもって安全に、しかも迅速、かつ確実に作業能率よく装着せしめることが出来る、高圧カットアウトスイッチ用絶縁カバ−を提供しようとするものである。
【０００９】
【課題を解決するための手段】
即ち、請求項１記載の発明は、高圧カットアウトスイッチ本体１７に外嵌自在とされると共に間接活線把持工具２２に把持自在とされた略コ字形状のカバ−本体２と、該カバ−本体２の上端部に形成された上部カバ−部材３と、同カバ−本体２の下端部に横設された両側一対の引出線用フック片９とよりなり、上記上部カバ−部材３の先部には引出線用引出口２０に掛止自在とされた両側一対の掛止片５が垂下状に形成されてなることを特徴とする、高圧カットアウトスイッチ用絶縁カバ−を要旨とするものである。
【００１０】
請求項２記載の発明は、上部カバ−部材３はヒンジ４を介してカバ−本体２の上端部に折曲自在に形成されると共に、係着部材７・８を介してカバ−本体２に直交状に係着自在とされてなることを特徴とする、請求項１記載の高圧カットアウトスイッチ用絶縁カバ−を要旨とするものである。
【００１１】
請求項３記載の発明は、上部カバ−部材３はカバ−本体２の上端部に直交状に一体形成されてなることを特徴とする、請求項１記載の高圧カットアウトスイッチ用絶縁カバ−を要旨とするものである。
【００１２】
請求項４記載の発明は、カバ−本体２に間接活線把持工具２２の先部が嵌入自在とされた凹部１０が形成されると共に、該凹部１０には摘み片１１が内設されてなることを特徴とする、請求項１ないし３記載の高圧カットアウトスイッチ用絶縁カバ−を要旨とするものである。
【００１３】
請求項５記載の発明は、上部カバ−部材３の先部には高圧カットアウトスイッチ本体１７上端部に当接自在とされた当て片６が延設されてなることを特徴とする、請求項１ないし４記載の高圧カットアウトスイッチ用絶縁カバ−を要旨とするものである。
【００１４】
請求項６記載の発明は、高圧カットアウトスイッチ本体１７の両側縁を各々嵌合掛止せしめるべくカバ−本体２内には凹部１０を介して両側一対の掛止溝１３が区画形成されてなることを特徴とする、請求項１ないし５記載の高圧カットアウトスイッチ用絶縁カバ−を要旨とするものである。
【００１５】
【発明の実施の形態】
以下に、本発明の実施の形態を図面に示す一実施例に基づいて説明する。
図１及び図２は本発明の一実施例を示すもので、同図中、１ａは絶縁性プラスチック材料により一体成型された絶縁カバ−、２は該絶縁カバ−１ａを構成するカバ−本体で、該カバ−本体２は後記する開蓋状高圧カットアウトスイッチ本体１７の全面に外嵌自在な略コ字形状に形成されている。３は上記カバ−本体２の上端部にヒンジ４を介して折曲自在に一体形成された略コ字形状の上部カバ−部材、５は該上部カバ−部材３の両側壁を各々湾曲状に切欠くことにより垂下状に形成された両側一対の引出口用掛止片、６は上部カバ−部材３の先部に同一レベルに延設された当て片、７は上部カバ−部材３の基端がわ両側に各々形成された係合孔で、上部カバ−部材３は該係合孔７をカバ−本体２の上部両側に突設された係合突起８に係合せしめることによりカバ−本体２に対して直交状に係着自在とされている。９はカバ−本体２の下端部に横設された両側一対の引出線用フック片、１０はカバ−本体２のほぼ中位に形成された方形状の凹部、１１は該凹部１０の中位に起立状に内設された摘み片で、該摘み片１１は後記するヤットコ２２の把持片２３先部を凹部１０内に嵌入せしめることにより把持自在とされている。１２は上記摘み片１１の上下両側に各々形成された横づれ防止用凸状、１３はカバ−本体２内の両側に上記凹部１０を介して区画形成された両側一対の掛止溝である。
【００１６】
その他、１４は電柱（図示略）の腕木１５に取付け金具１６を介して取付けられた高圧カットアウトスイッチ、１７は該高圧カットアウトスイッチ１４を構成する箱形状の高圧カットアウトスイッチ本体、１８は該高圧カットアウトスイッチ本体１７を開閉せしめる接触刃１９付き蓋、２０は高圧カットアウトスイッチ本体１７の両側上下に各々対称に突設された環状の引出口、２１は両側下部がわの該引出口２０より引出された引出線である。２２は上端部に一対の把持片２３を有するヤットコである。
【００１７】
そして、上述の如く構成された絶縁カバ−１ａを開蓋状の高圧カットアウトスイッチ１４に装着せしめるさいには、図３に示すように、まず、ヒンジ４を介して上部カバ−部材３を折曲せしめ、係合突起８を係合孔７に係合せしめることによりカバ−本体２に対して直交状に係着せしめる。しかるのち、カバ−本体２の摘み片１１を把持片２３により把持せしめつつヤットコ２２でもって高圧カットアウトスイッチ本体１７の前面にアプロ−チせしめ、斜め上方から当て片６を高圧カットアウトスイッチ本体１７の上端面に当てがいつつ上部カバ−部材３を外嵌せしめてカバ−する（図４参照）と共に、両側の掛止片５を各々対応する引出口２０に掛止せしめる。このさい、カバ−本体２には摘み片１１が形成されているから、ヤットコ２２により把持して簡便に操作することが出来、また、上部カバ−部材３には当て片６が延設されているから、掛止片５および後記するフック片９とも相まって３点支持せしめることが出来、安定的に外嵌保持せしめることが出来るものである。
【００１８】
次いで、両側の掛止溝１３に高圧カットアウトスイッチ本体１７の前面両側縁を嵌合掛止せしめつつカバ−本体２をその前面に外嵌せしめ、両側のフック片９を各々対応する引出線２１に掛止せしめる。このさい、カバ−本体２には両側一対の掛止溝１３が形成されているから、図５に示すように、高圧カットアウトスイッチ本体１７が小形である場合においては掛止溝１３の内壁内面がわに嵌合掛止せしめ、また、大形である場合においては掛止溝１３の外壁内面がわに嵌合掛止せしめることにより、高圧カットアウトスイッチ本体１７の大小に拘らず確実に嵌合掛止せしめることが出来る。
上部カバ−部材３およびカバ−本体２の装着が完了すると、ヤットコ２２により摘み片１１の把持を開放し、装着作業を完了する。
【００１９】
図６は本願発明に係る絶縁カバ−１ｂの他の実施例を示すもので、上部カバ−部材３がカバ−本体２の上端部に直交状に一体形成された点が上記実施例と相違し、他の部分は同一であり、同一符号は同一部分を示す。
【００２０】
なお、上記実施例において、間接活線把持工具としてヤットコ２２が示されているが、これに限定されるものでなく、他の公知の間接活線把持工具を使用することが出来るものである。
【００２１】
【発明の効果】
請求項１記載の発明によれば以上の次第で、高圧カットアウトスイッチ本体１７に外嵌自在とされると共に間接活線把持工具２２に把持自在とされた略コ字形状のカバ−本体２と、該カバ−本体２の上端部に形成された上部カバ−部材３と、同カバ−本体２の下端部に横設された両側一対の引出線用フック片９とよりなり、上記上部カバ−部材３の先部には引出線用引出口２０に掛止自在とされた両側一対の掛止片５が垂下状に形成されているから、カバ−本体２を間接活線把持工具２２により把持せしめつつ、開蓋状の高圧カットアウトスイッチ本体１７に外嵌せしめ、掛止片５を引出口２０に掛止せしめると共にフック片９を引出線２１に掛止せしめるという簡単な操作でもって間接活線工法的に絶縁カバ−１ａ・１ｂを開蓋状の高圧カットアウトスイッチ本体１７に極めて安全に、しかも、迅速、かつ、確実に作業能率よく装着せしめることが出来るものである。
【００２２】
請求項２記載の発明によれば以上の次第で、上部カバ−部材３はヒンジ４を介してカバ−本体２の上端部に折曲自在に形成されると共に、係着部材７・８を介してカバ−本体２に直交状に係着自在とされているから、ヒンジ４を介して上部カバ−部材３を折曲せしめると共に、係着部材７・８を介してカバ−本体２に対して直交状に確実に係着せしめることが出来るものであって、ひいては、開蓋状の高圧カットアウトスイッチ本体１７に簡便に外嵌せしめることが出来るものである。しかも、不使用時には一直線状に延ばして嵩張ることなく簡便に収納保管せしめることが出来るものである。
【００２３】
請求項３記載の発明によれば以上の次第で、上部カバ−部材３はカバ−本体２の上端部に直交状に一体形成されているから、開蓋状の高圧カットアウトスイッチ本体１７に極めて簡便に外嵌せしめることが出来るものである。
【００２４】
請求項４記載の発明によれば以上の次第で、カバ−本体２に間接活線把持工具２２の先部が嵌入自在とされた凹部１０が形成されると共に、該凹部１０には摘み片１１が内設されているから、凹部１０内に間接活線把持工具２２の先部を嵌入せしめて摘み片１１を把持せしめることが出来るものであって、ひいては、間接活線把持工具２２により絶縁カバ−１ａ・１ｂを確実に把持してその装着作業を間接活線工法的に行うことが出来るものである。
【００２５】
請求項５記載の発明によれば以上の次第で、上部カバ−部材３の先部には高圧カットアウトスイッチ本体１７上端部に当接自在とされた当て片６が延設されているから、当て片６を高圧カットアウトスイッチ本体１７の上端面に当接せしめることにより、掛止片５及びフック片９とも相まって３点支持的に支持せしめることが出来るものであって、絶縁カバ−１ａ・１ｂを常に安定的に外嵌保持せしめることが出来るものである。
【００２６】
請求項６記載の発明によれば以上の次第で、高圧カットアウトスイッチ本体１７の両側縁を各々嵌合掛止せしめるべくカバ−本体２内には凹部１０を介して両側一対の掛止溝１３が区画形成されているから、掛止溝１３の内外壁内面を利用して高圧カットアウトスイッチ本体１７の前端両側縁を嵌合掛止せしめることが出来るため、高圧カットアウトスイッチ本体１７の大小に拘わらず確実に嵌合掛止せしめることが出来るものである。
【図面の簡単な説明】
【図１】本発明の一実施例を示す後方からみた斜視図である。
【図２】本発明の一実施例を示す前方からみた斜視図である。
【図３】実施例の装着状態を示す断面図である。
【図４】実施例の上部カバ−部材３を高圧カットアウトスイッチ本体１７に外嵌せしめた状態を示す一部拡大背面図である。
【図５】実施例の掛止溝１３に高圧カットアウトスイッチ本体１７を嵌合掛止せしめた状態を示す一部拡大水平断面図である。
【図６】本発明の他の実施例を示す側面図である。
【符号の説明】
１ａ・１ｂ    絶縁カバ−
２            カバ−本体
３            上部カバ−部材
４            ヒンジ
５            掛止片
６            当て片
７            係合孔
８            係合突起
９            フック片
１０          凹部
１１          摘み片
１３          掛止溝
１４          高圧カットアウトスイッチ
１７          高圧カットアウトスイッチ本体
２０          引出口
２１          引出線
２２          ヤットコ
【図１】
0004376429.tif 000002
【図２】
0004376429.tif 000003
【図３】
0004376429.tif 000004
【図４】
0004376429.tif 000005
【図５】
0004376429.tif 000006
【図６】
0004376429.tif 000007